(57)【特許請求の範囲】
【請求項１】
空調機が運転される単位の区域を複数有する建屋の、前記区域ごとに前記空調機の運転の開始および停止を含む制御を行う制御部と、
前記建屋内で作業する作業者の前記建屋への入場および前記建屋からの退場を検出する入退場管理手段から、前記作業者ごとに前記建屋に在場するか不在であるかを示す在場情報を取得する在場情報取得部と、
少なくとも１つの前記区域について、前記作業者のその区域を使用する開始予定時刻および終了予定時刻を含む予定情報を取得する予定情報取得部と、
を備え、
前記制御部は、前記少なくとも１つの区域について、前記予定情報および前記在場情報に基づいてその区域の空調機を制御し、
前記開始予定時刻から前記終了予定時刻までの使用時間帯が重複するいずれかの前記作業者が前記開始予定時刻に前記建屋に在場の場合に、その区域の空調機の運転を開始し、前記使用時間帯が重複するすべての前記作業者が前記開始予定時刻に前記建屋に不在の場合に、その区域の空調機の状態を維持する、空調制御装置。
【請求項２】
空調機が運転される単位の区域を複数有する建屋の、前記区域ごとに前記空調機の運転の開始および停止を含む制御を行う制御部と、
前記建屋内で作業する作業者の前記建屋への入場および前記建屋からの退場を検出する入退場管理手段から、前記作業者ごとに前記建屋に在場するか不在であるかを示す在場情報を取得する在場情報取得部と、
少なくとも１つの前記区域について、前記作業者のその区域を使用する開始予定時刻および終了予定時刻を含む予定情報を取得する予定情報取得部と、
を備え、
前記制御部は、前記少なくとも１つの区域について、前記予定情報および前記在場情報に基づいてその区域の空調機を制御し、
前記開始予定時刻から猶予時間が経過するまでに、前記開始予定時刻から前記終了予定時刻までの使用時間帯が重複するいずれかの前記作業者が前記建屋に在場になった場合に、その区域の空調機の運転を開始し、前記開始予定時刻から猶予時間が経過するまで、前記使用時間帯が重複するすべての前記作業者が前記建屋に不在の場合に、その区域の空調機の運転を停止する、空調制御装置。
【請求項３】
前記制御部は、前記少なくとも１つの区域について、前記開始予定時刻の予備時間前から前記開始予定時刻までの間に、前記使用時間帯が重複するいずれかの前記作業者が前記建屋に在場になった場合に、その区域の空調機の運転を開始する、請求項１または２に記載の空調制御装置。
【請求項４】
前記少なくとも１つの区域について、その区域に人が居るか否かを検知する検知部を備え、
前記制御部は、前記少なくとも１つの区域について、前記開始予定時刻にその区域が無人であることを前記検知部で検知した場合に、その区域の空調機の状態を維持する、請求項１または２に記載の空調制御装置。
【請求項５】
前記少なくとも１つの区域について、その区域に人が居るか否かを検知する検知部を備え、
前記制御部は、前記少なくとも１つの区域について、前記開始予定時刻にその区域が無人であることを前記検知部で検知した場合に、その区域の空調機の運転を停止する、請求項３に記載の空調制御装置。
【請求項６】
前記制御部は、前記少なくとも１つの区域について、前記開始予定時刻から猶予時間が経過するまでその区域が無人であることを前記検知部で検知した場合に、その区域の空調機の運転を停止する、請求項５に記載の空調制御装置。
【請求項７】
前記制御部は、前記少なくとも１つの区域について、その区域の前記開始予定時刻から前記終了予定時刻までの使用時間帯が重複する前記作業者の、連続する使用時間帯の最も遅い終了予定時刻に、その区域の空調機の運転を停止する、請求項１から６のいずれか１項に記載の空調制御装置。
【請求項８】
前記制御部は、前記少なくとも１つの区域について、その区域の前記開始予定時刻から前記終了予定時刻までの使用時間帯に、該使用時間帯が重複するすべての前記作業者が前記建屋に不在になった場合に、その区域の空調機の運転を停止する、請求項１から７のいずれか１項に記載の空調制御装置。
【請求項９】
前記少なくとも１つの区域について、その区域に人が居るか否かを検知する検知部を備え、
前記制御部は、前記少なくとも１つの区域について、その区域の前記開始予定時刻から前記終了予定時刻までの使用時間帯に基準時間以上連続してその区域が無人であることを検知した場合に、その区域の空調機の運転を停止する、請求項１から８のいずれか１項に記載の空調制御装置。
【請求項１０】
前記制御部は、前記少なくとも１つの区域について、その区域の前記開始予定時刻から前記終了予定時刻までの使用時間帯におけるその区域の同時使用人数を集計し、同時使用人数が基準を超える場合にその区域の空調の設定温度を下げて、その区域の空調機の運転を制御する、請求項１から９のいずれか１項に記載の空調制御装置。
【請求項１１】
前記制御部は、前記少なくとも１つの区域について、その区域の前記開始予定時刻から前記終了予定時刻までの使用時間帯におけるその区域の同時使用人数を集計し、その区域の人口密度が基準を超える場合にその区域の空調の設定温度を下げて、その区域の空調機の運転を制御する、請求項１から９のいずれか１項に記載の空調制御装置。
【請求項１２】
前記予定情報は空調の設定温度を含み、
前記制御部は、前記少なくとも１つの区域について、その区域の空調の設定温度に基づいてその区域の空調機の運転を制御する、請求項１から１１のいずれか１項に記載の空調制御装置。
【発明の詳細な説明】
【技術分野】
【０００１】
本発明は、建屋の複数の区域に設置された空気調和機（空調機）を集中制御する空調制御装置に関する。
【背景技術】
【０００２】
オフィスビルなどの会議室に設置された空気調和機（空調機）を、会議室の利用予約に連動して運転制御する空調制御が行われている。例えば特許文献１に記載の空調機制御装置は、人体感知センサで会議室の使用状況を検知し、会議室を使用することになっていたスケジュールが変更されずに会議室が使用されない場合に、使用されていない部屋の空調を自動的に停止して、無駄な電力消費を削減する。
【０００３】
特許文献１の空調機制御装置は、スケジュールデータおよびパラメータに従って空調機を運転すると同時に、運転時間中における制御対象区画の使用状況を人体感知センサで監視する。そして、一定時間以上その区画が使用されていない場合には、空調機を停止する。停止した後もスケジュールの運転予定時間内は、人体感知センサで監視を続け、その区画の使用を確認したらスケジュールに合わせて空調機を起動する。
【先行技術文献】
【特許文献】
【０００４】
【特許文献１】特開平５−２４８６７９号公報
【発明の概要】
【発明が解決しようとする課題】
【０００５】
しかしながら、特許文献１に記載の空調機制御装置は、会議室利用開始予定後、一定時間会議室に人がいることが確認されない場合にはじめて空調を停止するので、その間の消費電力を削減することができない。また、室内に人がいるかどうかを識別するためには新たに別途、人体感知センサを備える必要がある。複数の会議室を有するビルなどでは、人体感知センサの設置や保守のためのコストが大きくなるという課題がある。
【０００６】
本発明は、上記事情に鑑みてなされたものであり、建屋に設置された空調機の消費電力をより効率的に削減することを目的とする。
【課題を解決するための手段】
【０００７】
上述の課題を解決するため、本発明に係る空調制御装置は、空調機が運転される単位の区域を複数有する建屋の、区域ごとに空調機の運転の開始および停止を含む制御を行う制御部と、建屋内で作業する作業者の建屋への入場および建屋からの退場を検出する入退場管理手段から、作業者ごとに建屋に在場するか不在であるかを示す在場情報を取得する在場情報取得部と、少なくとも１つの区域について、作業者のその区域を使用する開始予定時刻および終了予定時刻を含む予定情報を取得する予定情報取得部と、を備える。制御部は、少なくとも１つの区域について、予定情報および在場情報に基づいてその区域の空調機を制御し、開始予定時刻から終了予定時刻までの使用時間帯が重複するいずれかの作業者が開始予定時刻に建屋に在場の場合に、その区域の空調機の運転を開始し、使用時間帯が重複するすべての作業者が開始予定時刻に建屋に不在の場合に、その区域の空調機の状態を維持する。
【発明の効果】
【０００８】
本発明によれば、空調機が運転される単位の区域を複数有する建屋の、区域ごとに空調機の運転の開始および停止を行う場合に、建屋内で作業する作業者の在場情報、および作業者のその区域を使用する予定情報に基づいてその区域の空調機を制御し、開始予定時刻から終了予定時刻までの使用時間帯が重複するいずれかの作業者が開始予定時刻に建屋に在場の場合に、その区域の空調機の運転を開始し、使用時間帯が重複するすべての作業者が開始予定時刻に建屋に不在の場合に、その区域の空調機の状態を維持するので、建屋に設置された空調機の消費電力をより効率的に削減することができる。
【図面の簡単な説明】
【０００９】
【図１】本発明の実施の形態１に係る空調管理システムの構成例を示すブロック図である。
【図２】実施の形態１に係る空調制御装置の構成例を示すブロック図である。
【図３】実施の形態１に係る予定情報の例を示す図である。
【図４】実施の形態１に係る在場情報の例を示す図である。
【図５】実施の形態１に係る運転開始制御の動作の一例を示すフローチャートである。
【図６】実施の形態１に係る運転停止制御の動作の一例を示すフローチャートである。
【図７】開始予定時刻に猶予時間を含める場合の運転開始制御の動作の一例を示すフローチャートである。
【図８】開始予定時刻の前に予備運転を行う場合の運転開始制御の動作の一例を示すフローチャートである。
【図９】本発明の実施の形態２に係る空調管理システムの構成例を示すブロック図である。
【図１０】本発明の実施の形態３に係る空調管理システムの構成例を示すブロック図である。
【図１１】実施の形態３に係る運転開始制御の動作の一例を示すフローチャートである。
【図１２】開始予定時刻の前に予備運転を行う場合の運転開始制御の動作の一例を示すフローチャートである。
【図１３】開始予定時刻の無人判定に猶予時間を設ける場合の運転開始制御の動作の一例を示すフローチャートである。
【図１４】使用時間帯で無人判定を行う場合の運転停止制御の動作の一例を示すフローチャートである。
【図１５】本発明の実施の形態４に係る設定情報の例を示す図である。
【図１６】実施の形態４に係る運転制御の動作の一例を示すフローチャートである。
【図１７】基準人口密度を含む場合の設定情報の例を示す図である。
【図１８】区域の人口密度で温度を設定する場合の運転制御の動作の一例を示すフローチャートである。
【図１９】運転開始時に温度を指令する運転開始制御の動作の一例を示すフローチャートである。
【発明を実施するための形態】
【００１０】
実施の形態１．
図１は、本発明の実施の形態１に係る空調管理システムの構成例を示すブロック図である。空調管理システムは、区域２１および２２を含む建屋１に設置される。空調管理システムは、空調制御装置１０、空調機の室内機３１、３２、リモコン４１、４２、室外機５、スイッチングハブ６、端末７およびカードリーダ８から構成される。空調管理システムは、室外機５を除いて建屋１の内部に設置されている。室内機３１およびリモコン４１は区域２１に、室内機３２およびリモコン４２は区域２２にそれぞれ設置されている。図１には、区域２１、２２の２つしか示されていないが、建屋１には作業者が作業する２以上の区域がある。
【００１１】
区域２１、２２は、空調機が運転される単位である。区域２１、２２は、執務室、会議室、応接室、実験室、加工場、組立場、仕分け・配送の作業場など、建屋内の空調が行われる場所である。区域の間は壁で区切られているとは限らない。例えば、執務室が低いパーティションで仕切られて、仕切られた部分ごとに空調が運転される区域であってもよい。また、１つの区域が２つ以上の部屋を含む場合もあり得る。例えば、スタジオ室（実演室）とモニタ室のように一体で空調を制御する場合は、それらを合わせて１つの区域と見なせる。例えば、区域２１は事務室であり、区域２２は会議室である。
【００１２】
空調制御装置１０は、建屋１の区域２１、２２ごとに空調機の運転の開始および停止を含む制御を行う。空調制御装置１０、室内機３１、３２、リモコン４１、４２および室外機５は、専用線でバス接続されている。空調制御装置１０、端末７およびカードリーダ８は、スイッチングハブ６を介してＬＡＮ（Local Area Network）で接続されている。図１では、端末７は区域２１に配置されているが、端末７の位置は１つの区域２１に限らない。端末７は、例えば無線ＬＡＮで接続されて移動可能であってもよい。カードリーダ８は、建屋１の入出口に設置されている。図１では１つのカードリーダ８が示されているが、入出口のドアの内側と外側にそれぞれ１つづつカードリーダ８が配置されていてもよい。
【００１３】
図２は、実施の形態１に係る空調制御装置の構成例を示すブロック図である。空調制御装置１０は、制御部１１、入出力制御部１２、入出力Ｉ／Ｆ１３、ＬＡＮ通信部１４、制御信号通信部１５および記憶部１６から構成される。記憶部１６は、予定情報１７、在場情報１８および設定情報１９を記憶する。記憶部１６は、設定情報１９を記憶していなくてもよい。
【００１４】
記憶部１６は、例えば、ハードディスク、スタティックＲＡＭまたはフラッシュメモリなどの不揮発メモリで構成される。入出力Ｉ／Ｆ１３は、例えば、液晶タッチパネルまたはディスプレイとキーボードなど、入力機能と表示機能を備える。
【００１５】
ＬＡＮ通信部１４は、スイッチングハブ６を介してＬＡＮで接続される端末７およびカードリーダ８と情報の送受信を行う。制御信号通信部１５は、専用線でバス接続される室内機３１、３２、リモコン４１、４２および室外機５との制御信号の送受信を行う。
【００１６】
空調制御装置１０は、少なくとも１つの区域、例えば会議室である区域２２について、作業者のその区域２２を使用する開始予定時刻および終了予定時刻を含む予定情報１７を取得する。空調制御装置１０は、建屋１内で作業する作業者の建屋１への入場および建屋１からの退場を検出し、作業者ごとに建屋１に在場するか不在であるかを示す在場情報１８を生成する。そして、少なくとも１つの区域２２について、予定情報１７および在場情報１８に基づいてその区域２２の空調機３２を制御する。
【００１７】
建屋１の作業者は、例えば、端末７または入出力Ｉ／Ｆ１３を用いて、区域２１、２２を使用する開始予定時刻および終了予定時刻を含む予定情報１７を、空調制御装置１０に登録する。予定情報１７は、作業者の名称（識別符号）、使用する区域、開始予定時刻および終了予定時刻を要素とするデータである。空調制御装置１０の入出力Ｉ／Ｆ１３、ＬＡＮ通信部１４、入出力制御部１２、制御部１１および記憶部１６は、予定管理部を構成する。
【００１８】
図３は、実施の形態１に係る予定情報の例を示す図である。図３では、作業者「山田太郎」と「田中一郎」が、９時から１０時までＡ会議室を使用することが示されている。また、作業者「中村次郎」は、１０時半から１２時までＢ会議室を使用することが示されている。おそらく、図示されない他の作業者が、１０時半から１２時に少なくとも一部重複する時間にＢ会議室を使用するスケジュールが登録されている。
【００１９】
図３の例では、「山田太郎」と「田中一郎」がＡ会議室を使用する時間帯は同じであるが、１つの区域の使用時間帯は、その区域を使用する作業者ごとの開始予定時刻から終了予定時刻までがすべて重複するとは限らない。ある作業者は他の作業者の使用時間の途中からまたは途中まで、使用時間が重複することがあり得る。
【００２０】
作業者がスケジュールを設定する際は、各作業者は端末７を使用して、スケジュールデータを入力することができる。端末７で入力されたスケジュールデータは、ＬＡＮを介して空調制御装置１０のＬＡＮ通信部１４に送信される。入出力制御部１２は、ＬＡＮ通信部１４で受信したスケジュールデータを制御部１１に送る。そして制御部１１は、受け取ったスケジュールデータから予定情報を生成して記憶部１６に予定情報１７として記憶する。すなわち、空調制御装置１０は、端末７およびスイッチングハブ６を介して、予定情報１７を取得する。予定情報１７を閲覧する際は、記憶部１６に記憶されている予定情報１７を制御部１１が読み出し、入出力制御部１２およびＬＡＮ通信部１４を通じＬＡＮを介して端末７に送信する。端末７は受信した予定情報１７を表示する。予定情報１７の入力および閲覧は、端末７とＬＡＮを用いなくても、空調制御装置１０の入出力Ｉ／Ｆ１３を使用して行うことも可能である。
【００２１】
作業者が建屋１に入場してから退場するまでその作業者は建屋１に在場し、作業者が建屋１を退場してから再び入場するまでその作業者は建屋１に不在である。作業者の入退場を検出するには、例えば、以下のようにする。ＩＤをカードリーダ８に読み込ませなければ、ドアが開かないようにしておく。作業者は建屋１に入場するとき、例えば所持しているＩＤカードをドアの外のカードリーダ８にかざしてＩＤを読み込ませる。また、退場するときＩＤカードをドアの内側のカードリーダ８にかざしてＩＤを読み込ませる。
【００２２】
あるいは、入出口に外側のドアと内側のドアを設けて、それらの間にカードリーダ８が配置されてもよい。外側のドアを開けてカードリーダ８にＩＤを読み込ませると、外側のドアが閉まって内側のドアが開き、内側のドアを開けてカードリーダ８にＩＤを読み込ませれば、内側のドアが閉まって外側のドアが開くようにすれば、入退場を検出することができる。いずれにしても、作業者は、ＩＤカードをカードリーダ８にかざしてＩＤを読み込ませなければ、建屋１の入退場ができない。
【００２３】
カードリーダ８が読み取った作業者のＩＤと入場、または退場の情報は、ＬＡＮを介して空調制御装置１０のＬＡＮ通信部１４に送信され、入出力制御部１２を介して、制御部１１に送られる。制御部１１は受け取ったデータが入場であればそのＩＤの作業者を在場、退場であれば不在とする在場情報１８を生成して、記憶部１６に記憶する。また、在場情報１８を閲覧する際は、制御部１１が記憶部１６に格納されている在場情報１８を読み出し、入出力制御部１２、ＬＡＮ通信部１４を通じＬＡＮを介して端末７に送信する。端末７は、受信した在場情報１８を表示する。入出力Ｉ／Ｆ１３、ＬＡＮ通信部１４、入出力制御部１２、制御部１１および記憶部１６は、在場情報管理部を構成する。在場情報１８の閲覧には、端末７およびＬＡＮを用いなくても、空調制御装置１０の入出力Ｉ／Ｆ１３を使用して行うことも可能である。
【００２４】
図４は、実施の形態１に係る在場情報の例を示す図である。図４に示されるように、作業者ごとに在場か不在かの状態が示されている。例えば、「中村次郎」は不在であり、「「木村花子」は在場であることが示されている。
【００２５】
作業者を識別してその入退場を検出するためには、ＩＤカードとカードリーダ８には限らない。例えば、入退場するときに、作業者にＩＤとパスワードを入力させて認証したり、指紋、光彩または静脈などの生体情報を利用して、作業者を認証してもよい。あるいは、カメラで撮影した顔や姿勢の画像から、作業者を認識してもよい。
【００２６】
空調制御装置１０は、空調機である室内機３１、室内機３２および室外機５の制御を専用線バスを通して行う。制御部１１は、予定情報１７および在場情報１８を参照し、それらの情報に基づいて空調機の運転開始および運転停止を含む制御を行い、区域２１および区域２２の空調を実施する。
【００２７】
制御部１１は、例えば１つの区域２２について、開始予定時刻から終了予定時刻までの使用時間帯が重複するいずれかの作業者が開始予定時刻に建屋１に在場の場合に、その区域２２の空調機３２の運転を開始し、使用時間帯が重複するすべての作業者が開始予定時刻に建屋１に不在の場合に、その区域２２の空調機３２の状態を維持する。
【００２８】
ここで、使用時間帯が重複するとは、その区域を使用する開始予定時刻から終了予定時刻まで連続して重複することを言う。ある作業者Ａの開始予定時刻の前にその区域の開始予定時刻が設定され、作業者Ａの開始予定時刻の後に終了予定時刻が設定されている作業者Ｂは、作業者Ａの開始予定時刻からいずれか早い方の終了予定時刻まで、作業者Ａと使用時間帯が重複する。制御部１１は１つの区域について、作業者の開始予定時刻が到来するごとに、その開始予定時刻から始まる使用時間帯が重複する作業者のうち、いずれかの作業者がその時点で建屋１に在場であればその区域の空調機の運転を開始する。すなわち、開始予定時刻と終了予定時刻ごとに使用時間帯を区切って、開始予定時刻ごとに重複する作業者が建屋１に在場か不在かを調べて、使用時間帯が重複するいずれかの作業者が開始予定時刻に建屋１に在場の場合に、その区域の空調機の運転を開始する。そして、使用時間帯が重複するすべての作業者が建屋１に不在の場合は、その区域の空調機の状態を維持する。
【００２９】
ここで、空調機の運転を開始することは、空調機が運転中の場合に運転を継続することを含む。空調機の状態を維持するとは、空調機が運転状態であれば運転を継続し、停止状態であればそのまま停止状態を継続することである。
【００３０】
空調制御装置１０の制御部１１は、ある区域の空調の運転を開始した後に、その区域の連続する作業時間帯で最後の終了予定時刻に、その区域の空調機の運転を停止する。また、ある区域の空調機の運転を開始した後に、使用時間帯が重複するすべての作業者が建屋１に不在になった場合に、その区域の空調機の運転を停止する。ここで、空調機の運転を停止することは、空調機が停止状態の場合にそのまま停止状態を継続することを含む。
【００３１】
例えば、ある区域について、作業者ＡおよびＣの同じ開始予定時刻、作業者Ｂの開始予定時刻、作業者Ａの終了予定時刻、作業者ＢおよびＣの同じ終了予定時刻の時間順であり、その他の重複する作業者はいない場合を想定する。制御部１１は、作業者ＡおよびＣの開始予定時刻に、作業者ＡおよびＣが共に建屋１に不在であるか否かを調べ、作業者ＡまたはＣが建屋１に在場であれば、その区域の空調機の運転を開始する。作業者ＡおよびＣが建屋１に不在であれば、その区域の空調機の状態を維持する。次に、作業者Ｂの開始予定時刻に、作業者Ａ、Ｂ、Ｃのいずれかが建屋１に在場の場合は、その区域の空調機の運転を開始する。すでに運転を開始している場合は、運転状態を継続する。
【００３２】
同じ想定で制御部１１は、最後の終了予定時刻である作業者ＢおよびＣの同じ終了予定時刻に、その区域の空調機の運転を停止する。作業者ＡおよびＣの開始予定時刻から作業者Ｂの開始予定時刻までに、作業者ＡおよびＣが共に建屋１に不在になった場合は、そのときにその区域の空調機の運転を停止する。作業者Ｂの開始予定時刻から作業者Ａの終了予定時刻までに、作業者Ａ、ＢおよびＣが共に建屋１に不在になった場合は、そのときにその区域の空調機の運転を停止する。そして、作業者Ａの終了予定時刻から作業者ＢおよびＣの終了予定時刻までに、作業者ＢおよびＣが共に建屋１に不在になった場合は、そのときにその区域の空調機の運転を停止する。
【００３３】
図５は、実施の形態１に係る運転開始制御の動作の一例を示すフローチャートである。図５のフローチャートは、建屋１のある１つの区域についてその区域の空調機の運転開始制御の動作を示す。制御部１１は、その区域の開始予定時刻が到来するまで待機する（ステップＳ１０；Ｎ）。開始予定時刻になったら（ステップＳ１０；Ｙ）、その開始予定時刻から始まる使用時間帯が重複する作業者全員が建屋１に不在であるかどうかを調べる（ステップＳ１１）。使用時間帯が重複する作業者のいずれかが建屋１に在場であれば（ステップＳ１１；Ｎ）、その区域の空調機に運転開始指令を送信して運転を開始する（ステップＳ１２）。使用時間帯が重複する作業者全員が建屋１に不在の場合は（ステップＳ１１；Ｙ）、その区域の空調機に何も送信せず状態を維持する。
【００３４】
ここで、空調機は運転状態のときにさらに運転開始指令を受けた場合に、何も変化しないことを想定している。例えば、運転開始指令と運転停止指令が同じ指令コードであって、受信するごとに運転状態と停止状態が入れ替わるような場合には、ステップＳ１２は、その空調機の状態を調べ、停止状態なら運転を開始し、運転状態なら何も送信しないという動作に分解される。
【００３５】
図６は、実施の形態１に係る運転停止制御の動作の一例を示すフローチャートである。図６のフローチャートは、建屋１のある１つの区域についてその区域の空調機の運転停止制御の動作を示す。運転停止制御は、その区域の空調機の運転が開始されたときに起動される。制御部１１は、その区域が使用時間帯になるまで待機する（ステップＳ２０；Ｎ）。図５の運転開始制御で運転が開始されていれば、すでに使用時間帯である。制御部１１は、使用時間帯であれば（ステップＳ２０；Ｙ）、その区域の連続する作業時間帯で最後の終了予定時刻になるまで（ステップＳ２１；Ｎ）、その作業時間帯が重複するすべての作業者が建屋１に不在かどうかを調べ（ステップＳ２２）、全員不在になった場合に（ステップＳ２２；Ｙ）、その区域の空調機の運転を停止する（ステップＳ２３）。全員不在でなければ（ステップＳ２２；Ｎ）、ステップＳ２１に戻る。その区域の連続する作業時間帯で最後の終了予定時刻になったら（ステップＳ２１；Ｙ）、その区域の空調機の運転を停止する（ステップＳ２３）。
【００３６】
ここで、空調機が停止状態のときにさらに運転停止指令を受けた場合に、空調機は何も変化しないことを想定している。例えば、運転開始指令と運転停止指令が同じ指令コードであって、受信するごとに運転状態と停止状態が入れ替わるような場合には、ステップＳ２３は、その空調機の状態を調べ、運転状態なら運転を停止し、停止状態なら何も送信しないという動作に分解される。
【００３７】
以上説明したように、実施の形態１の空調制御装置１０は、建屋内で作業する作業者の在場情報１８、および作業者のある区域を使用する予定情報１７に基づいてその区域の空調機を制御する。実施の形態１の空調制御装置１０によれば、建屋１の区域ごとに作業者が居るか否かを検出しなくても、建屋１全体の入退場を検出するだけで、建屋に設置された空調機の消費電力をより効率的に削減することができる。空調制御装置１０は、上述のような制御を建屋１のすべての区域について行うとは限らない。上述の制御を行うのは、予定情報１７が生成される対象の区域に限られる。
【００３８】
実施の形態１では、開始予定時刻における在場情報１８をその一時点だけで判断していたが、開始予定時刻に猶予時間を設けてもよい。例えば、開始予定時刻に使用時間帯が重複する作業者の全員が不在の場合に、運転を開始せずに開始制御を終了するのでなく、猶予時間が経過するまで、使用時間帯が重複する作業者のいずれかが在場になるのを待機する。猶予時間は、例えば、記憶部１６の設定情報１９に記憶されている。
【００３９】
図７は、開始予定時刻に猶予時間を含める場合の運転開始制御の動作の一例を示すフローチャートである。制御部１１は、その区域の開始予定時刻が到来することを待機し（ステップＳ１０；Ｎ）、開始予定時刻になったら（ステップＳ１０；Ｙ）、使用時間帯が重複する作業者のいずれかが建屋１に在場であれば（ステップＳ１１；Ｎ）、その区域の空調機に運転開始指令を送信して運転を開始する（ステップＳ１２）。ここまでは、図５のフローチャートと同様である。
【００４０】
開始予定時刻になったのち（ステップＳ１０；Ｙ）、使用時間帯が重複する作業者全員が建屋１に不在の場合は（ステップＳ１１；Ｙ）、開始予定時刻から猶予時間が経過するまで、使用時間帯が重複する作業者全員が建屋１に不在であるかどうかを調べる（ステップＳ１３；Ｎ，ステップＳ１１）。猶予時間が経過する前に（ステップＳ１３；Ｎ）、使用時間帯が重複する作業者のいずれかが建屋１に在場になれば（ステップＳ１１；Ｎ）、その区域の空調機に運転開始指令を送信して運転を開始する（ステップＳ１２）。使用時間帯が重複する作業者全員が建屋１に不在のまま（ステップＳ１１；Ｙ）、猶予時間を経過したとき（ステップＳ１３；Ｙ）、制御部１１はその区域の空調機の運転を停止する（ステップＳ１４）。運転開始のステップＳ１２と運転停止のステップＳ１４については、図５および図６と同様である。図７の運転開始制御の後に、図６と同様に運転停止制御を行うことができる。
【００４１】
図７の動作によれば、開始予定時刻に猶予時間が設けられるので、猶予時間に使用時間帯が重複する作業者のだれかが在場になれば、使用予定の区域の空調機が運転される。例えば開始予定時刻に一時的に使用時間帯が重複する作業者全員が建屋１の外に出ていた場合などに、使用予定の区域の空調が開始されなくなるのを防止できる。また、猶予時間が経過しても使用時間帯が重複する作業者全員が不在の場合に、空調機の運転を停止するので、無駄に電力が消費されない。
【００４２】
図７の運転開始制御で、猶予時間は０以上任意である。猶予時間が０である場合は、開始予定時刻に使用時間帯が重複する作業者全員が不在のときに、その区域の空調機の運転を停止することになる。これは、図５の動作で、全員不在のときに空調機の状態を維持する代わりに、空調機の運転を停止するという変形である。猶予時間は、区域によらず建屋１で一律であってもよいし、区域ごとに変えてもよい。また、例えば、その区域を使用する作業者の人数に応じて、猶予時間を変えてもよい。
【００４３】
開始予定時刻に運転を開始するのでなく、開始予定時刻の予備時間前から運転を開始することもできる。開始予定時刻の予備時間前から運転を開始するのは、開始予定時刻に使用予定区域の室温が設定温度に到達しているようにするためである。開始予定時刻の前に行う運転を予備運転という。予備時間は、例えば、記憶部１６の設定情報１９に記憶されている。
【００４４】
図８は、開始予定時刻の前に予備運転を行う場合の運転開始制御の動作の一例を示すフローチャートである。制御部１１は、１つの区域について、その区域の開始予定時刻の予備時間前になるのを待機する（ステップＳ３０；Ｎ）。開始予定時刻の予備時間前になったら（ステップＳ３０；Ｙ）、その開始予定時刻から始まる使用時間帯が重複する作業者全員が建屋１に不在であるかどうか調べる（ステップＳ３１）。使用時間帯が重複する作業者全員が建屋１に不在の場合は（ステップＳ３１；Ｙ）、開始予定時刻になるまで（ステップＳ３２；Ｎ）、使用時間帯が重複する作業者のいずれかが建屋１に在場になるのを待機する（ステップＳ３１；Ｙ，ステップＳ３２；Ｎ）。開始予定時刻までに、使用時間帯が重複する作業者のいずれかが建屋１に在場になれば（ステップＳ３１；Ｎ）、その区域の空調機に運転開始指令を送信して運転を開始する（ステップＳ３４）。
【００４５】
使用時間帯が重複する作業者全員が建屋１に不在のまま（ステップＳ３１；Ｙ）、開始予定時刻になったら（ステップＳ３２；Ｙ）、再度その開始予定時刻から始まる使用時間帯が重複する作業者全員が建屋１に不在であるかどうかを調べる（ステップＳ３３）。使用時間帯が重複する作業者のいずれかが建屋１に在場であれば（ステップＳ３３；Ｎ）、その区域の空調機に運転開始指令を送信して運転を開始する（ステップＳ３４）。使用時間帯が重複する作業者全員が建屋１に不在の場合は（ステップＳ３３；Ｙ）、その区域の空調機に何も送信せず状態を維持する。運転開始のステップＳ３４については、図５と同様である。図８の運転開始制御の後に、図６と同様に運転停止制御を行うことができる。
【００４６】
図８の動作によれば、開始予定時刻の予備時間前から開始予定時刻になるまでに、その開始予定時刻から始まる使用時間帯が重複するいずれかの作業者が建屋１に在場であれば、その区域の空調機の予備運転を行う。予備運転を行うことによって、開始予定時刻に使用予定区域の室温を設定温度に近づけることができる。また、予備時間に使用時間が重複する作業者全員が建屋１に不在の場合に、予備運転を行わないので、無駄に電力が消費されない。
【００４７】
予備時間は、建屋１で一律に決めてもよいし、区域ごとに予備時間を変えてもよい。また、季節または室温と設定温度の差に応じて予備時間を変化させてもよい。例えば、室温と設定温度の差が大きければ予備時間を長く、差が小さければ予備時間を短くしてもよい。
【００４８】
図７の猶予時間と図８の予備時間を合わせて設けることもできる。その場合、例えば、図８のステップＳ３３に図７のステップＳ１３およびステップＳ１４をつなげて実行すればよい。その場合でも、運転開始制御の後に、図６と同様に運転停止制御を行うことができる。
【００４９】
実施の形態２．
図９は、本発明の実施の形態２に係る空調管理システムの構成例を示すブロック図である。実施の形態２では、空調管理システムにおいて、空調制御装置１０がスイッチングハブ６を介して取得した予定情報と在場情報に基づいて、少なくとも１つの区域２２の空調機３２を制御する。図９の空調管理システムでは、実施の形態１の構成に加えて、スケジュール管理装置１７０および入退場管理装置１８０がスイッチングハブ６を介してＬＡＮで接続されている。その他の構成は実施の形態１と同様である。
【００５０】
図９では、スケジュール管理装置１７０および入退場管理装置１８０の位置を規定していない。スケジュール管理装置１７０および入退場管理装置１８０の位置は、区域２１または区域２２であってもよいし、それ以外の例えば作業者が立ち入れない区域であってもよい。また、スケジュール管理装置１７０と入退場管理装置１８０の位置は、同じ区域であってもよいし、別の区域であってもよく、スイッチングハブ６が図示しないネットワークに接続されて、建屋１以外の区域であってもよい。
【００５１】
建屋１の作業者は、例えば、端末７またはスケジュール管理装置１７０の図示しない入出力Ｉ／Ｆを用いて、区域２１、２２を使用する開始予定時刻および終了予定時刻を含む予定情報１７ｂを、スケジュール管理装置１７０に登録する。空調制御装置１０のＬＡＮ通信部１４、入出力制御部１２、制御部１１および記憶部１６は、予定情報取得部を構成する。すなわち、空調制御装置１０は、スケジュール管理装置１７０から予定情報１７ｂを取得して、記憶部１６に記憶する。
【００５２】
記憶部１６に記憶する条件は、予定情報１７ｂに変更があるごとにスケジュール管理装置１７０から空調制御装置１０に通知される構成でもよいし、空調制御装置１０が定期的にスケジュール管理装置１７０からダウンロードする構成でもよい。また、予定情報１７を記憶部１６に記憶せず、制御部１１が予定情報１７を参照するタイミングでスケジュール管理装置１７０から取得する構成としてもよい。
【００５３】
カードリーダ８が読み取った作業者のＩＤと入場、または退場の情報は、ＬＡＮを介して入退場管理装置１８０に送信され、入退場管理装置１８０は、受け取ったデータが入場であればそのＩＤの作業者を在場、退場であれば不在とする在場情報１８ｂを生成する。空調制御装置１０のＬＡＮ通信部１４、入出力制御部１２、制御部１１および記憶部１６は、在場情報取得部を構成する。すなわち、空調制御装置１０は、入退場管理装置１８０から在場情報１８ｂを取得して、記憶部１６に記憶する。
【００５４】
記憶部１６に記憶する条件は、在場情報１８ｂに変更があるごとに入退場管理装置１８０から空調制御装置１０に通知される構成でもよいし、空調制御装置１０が定期的に入退場管理装置１８０からダウンロードする構成でもよい。また、在場情報１８を記憶部１６に記憶せず、制御部１１が在場情報１８を参照するタイミングで入退場管理装置１８０から取得する構成としてもよい。
【００５５】
実施の形態２の空調制御装置１０では、予定情報１７ｂおよび在場情報１８ｂの両方を空調制御装置１０以外の装置で生成する構成を説明したが、予定情報１７ｂおよび在場情報１８ｂのいずれか一方のみを空調制御装置１０以外の装置で生成する構成としてもよい。
【００５６】
実施の形態２の空調制御装置１０によれば、予定管理と入退場管理を空調制御と異なる装置で実現することで、いずれか一部の装置を交換する際に、それ以外の装置をそのまま流用することができ、システムの拡張、追加を容易に行うことが可能になる。
【００５７】
実施の形態３．
図１０は、本発明の実施の形態３に係る空調管理システムの構成例を示すブロック図である。実施の形態３では、空調管理システムにおいて、建屋１の少なくとも一部の区域にそれぞれ人体検知部を設けて、得られた人体検出結果を加味した空調の運転開始および運転停止を含む制御を行う。図１０の空調管理システムでは、実施の形態１の構成に加えて、人体検知部９１、９２を備える。その他の構成は実施の形態１と同様である。
【００５８】
実施の形態３で人体検知部９１、９２を設ける区域は、実施の形態１の空調制御を行う対象の区域に含まれる。図１０では、区域２１、２２にそれぞれ１つの人体検知部９１、９２が示されている。人体検知部９１、９２は、区域にそれぞれ１つずつとは限らない。区域の広さに応じて、人体検知部を２以上設けてもよい。１つの区域に複数の人体検知部を設ける場合、その区域に人が居るか否かは、人が居ることについては複数の人体検知部の論理和、人が居ないことについては論理積で判定する。
【００５９】
人体検知部９１、９２は、対象物の温度を非接触で測定できる赤外線センサを有しており、部屋の内部に人体が存在するか否かを検出する。人体検知部９１、９２は、専用線のバスを介して人体検知結果を空調制御装置１０に送信する。人体検知部９１、９２は、室内に室内機３１、３２とは別に設置された構成としてもよいし、室内機３１、３２に組み込んで一体化した構成としてもよい。また、人体検知部９１、９２としてカメラを用い、カメラで撮像した画像を解析して人体検出を行うようにしてもよい。なお、人体検知部９１、９２がスイッチングハブ６を介してＬＡＮで空調制御装置１０と接続され、人体検知部９１、９２がＬＡＮを介して人体検知結果を空調制御装置１０に送信する構成としてもよい。また、実施の形態２で述べたと同様に、予定情報および在場情報のいずれか一方または両方を、空調制御装置１０以外の装置で生成する構成としてもよい。
【００６０】
空調制御装置１０は、１つの区域について、その区域の予定情報、在場情報およびその区域に人が居るか否かを組み合わせた条件で、その区域の空調機の運転を開始するか停止するかまたは状態を維持するかを決定する。例えば、図５の運転開始制御で、その区域の使用時間帯が重複する作業者全員が建屋１に不在かどうかに加えて、その区域が無人であるか否かによって、空調機の運転を開始したり、空調機の状態を維持したりする。
【００６１】
図１１は、実施の形態３に係る運転開始制御の動作の一例を示すフローチャートである。運転開始制御の対象の区域について、その区域の使用時間帯が重複する作業者全員が建屋１に不在かどうかを判定するステップＳ４１までは、図５の動作と同じである。開始予定時刻にその区域の使用時間帯が重複する作業者全員が建屋１に不在の場合は（ステップＳ４１；Ｙ）、その区域の空調機の状態を維持する。
【００６２】
使用時間帯が重複する作業者のいずれかが建屋１に在場の場合（ステップＳ４１；Ｎ）、その区域に人が居れば（無人でなければ。ステップＳ４２；Ｎ）、その区域の空調機に運転開始指令を送信して運転を開始する（ステップＳ４３）。その区域が無人であれば（ステップＳ４２；Ｙ）、その区域の空調機に何も送信せず状態を維持する。運転開始のステップＳ４３については、図５と同様である。図１１の運転開始制御の後に、図６と同様に運転停止制御を行うことができる。
【００６３】
図１１の運転開始制御によれば、たとえ使用時間帯が重複する作業者のいずれかが建屋１に在場であっても、その区域が無人であれば空調機の運転を開始しない。その結果、例えば、ある区域を使用する予定情報が変更されないままその区域が使用されない場合に、無駄に空調機の運転が開始されるのを防止できる。
【００６４】
図１２は、開始予定時刻の前に予備運転を行う場合の運転開始制御の動作の一例を示すフローチャートである。図１２の動作は、図８の運転開始制御に人体検知部の人体検出結果を組み合わせる例である。開始予定時刻になった（ステップＳ５３；Ｙ）後の、再度その開始予定時刻から始まる使用時間帯が重複する作業者全員が建屋１に不在であるかどうかを調べるステップＳ５４までは、図８の動作と同じである。ただし、予備時間に使用時間帯が重複する作業者のいずれかが在場で空調機の運転を開始した場合でも、その区域に人が居るか否かを開始予定時刻の後に判定するために、ステップＳ５２を開始予定時刻判定（ステップＳ５３）の前に置いている。開始予定時刻になったとき（ステップＳ５３；Ｙ）、使用時間帯が重複する作業者全員が建屋１に不在の場合（ステップＳ５４；Ｙ）、その区域の空調機に何も送信せず状態を維持する。
【００６５】
一方、使用時間帯が重複する作業者のいずれかが建屋１に在場であっても（ステップＳ５４；Ｎ）、その区域が無人であれば（ステップＳ５５；Ｙ）、その区域の空調機の運転を停止する（ステップＳ５８）。そして、使用時間帯が重複する作業者のいずれかが建屋１に在場で（ステップＳ５４；Ｎ）、その区域に人が居る場合に（ステップＳ５５；Ｎ）、その区域の空調機に運転開始指令を送信して運転を開始する（ステップＳ５６）。運転開始のステップＳ５２およびステップＳ５６と運転停止のステップＳ５８については、図５および図６と同様である。図１２の運転開始制御の後に、図６と同様に運転停止制御を行うことができる。
【００６６】
図１２の運転開始制御では、予備運転を含む運転開始制御を行う場合でも、開始予定時刻にその区域の人体検知結果を用いて、その区域が無人ならば空調機の運転を停止する。その結果、例えば、ある区域を使用する予定情報が変更されないままその区域が使用されない場合に、無駄に電力が消費されない。
【００６７】
図１３は、開始予定時刻の無人判定に猶予時間を設ける場合の運転開始制御の動作の一例を示すフローチャートである。図１３の動作は、図１２の無人判定に猶予時間を設ける例である。図１３のステップＳ５５までは、図１２のステップＳ５５までと同様である。開始予定時刻になったとき（ステップＳ５３；Ｙ）、使用時間帯が重複する作業者全員が建屋１に不在の場合（ステップＳ５４；Ｙ）、その区域の空調機に何も送信せず状態を維持する。
【００６８】
開始予定時刻になったのち（ステップＳ５３；Ｙ）、使用時間帯が重複する作業者のいずれかが建屋１に在場の場合は（ステップＳ５４；Ｙ）、開始予定時刻から猶予時間が経過するまで、その区域が無人かどうかを調べる（ステップＳ５５）。猶予時間が経過する前に（ステップＳ５７；Ｎ）、その区域に人が居ることを検知すれば（ステップＳ５５；Ｎ）、その区域の空調機に運転開始指令を送信して運転を開始する（ステップＳ５６）。その区域が無人のまま（ステップＳ５５；Ｙ）、猶予時間を経過したとき（ステップＳ５７；Ｙ）、制御部１１はその区域の空調機の運転を停止する（ステップＳ５８）。運転開始のステップＳ５６と運転停止のステップＳ５８については、図５および図６と同様である。図７の運転開始制御の後に、図６と同様に運転停止制御を行うことができる。
【００６９】
図１３の運転開始制御では、開始予定時刻を過ぎても猶予時間が経過するまでに作業者の誰かがその区域に現れれば、運転を停止しない。例えば使用時間帯が重複する作業者全員が開始予定時刻に遅れる場合などに、使用予定の区域の空調が停止されるのを防止できる。また、猶予時間が経過してもその区域が無人の場合に、空調機の運転を停止するので、無駄に電力が消費されない。
【００７０】
図１４は、使用時間帯で無人判定を行う場合の運転停止制御の動作の一例を示すフローチャートである。図１４の動作は、図６の運転停止制御に人体検知部の人体検出結果を組み合わせる例である。図１４のステップＳ６２までは、図６のステップＳ２２までと同様である。最後の終了予定時刻になるまでに（ステップＳ６１；Ｎ）、使用時間帯が重複する作業者全員が建屋１に不在になった場合に（ステップＳ６２；Ｙ）、その区域の空調機の運転を停止する（ステップＳ６５）。また、最後の終了予定時刻になったときにも（ステップＳ６１；Ｙ）、その区域の空調機の運転を停止する（ステップＳ６５）。
【００７１】
最後の終了予定時刻になるまでに（ステップＳ６１；Ｎ）、その作業時間帯が重複するすべての作業者のいずれかが建屋１に在場であっても（ステップＳ６２；Ｎ）、その区域が無人であれば（ステップＳ６３；Ｙ）、無人になったときから基準時間が経過するまで（ステップＳ６４；Ｎ）その区域が無人かどうか観察する（ステップＳ６３；Ｙ，ステップＳ６４；Ｎ）。無人であることを検出してから基準時間が経過するまでに、人が居ることを検知した場合は（ステップＳ６４；Ｎ、ステップＳ６３；Ｎ）、ステップＳ６１に戻って、最後の終了予定時刻になるまで全員不在と区域無人の判定（ステップＳ６２、ステップＳ６３）を繰り返す。その区域が無人のまま基準時間が経過した場合（ステップＳ６４；Ｙ）、その区域の空調機の運転を停止する（ステップＳ６５）。運転停止のステップＳ６５については、図６と同様である。
【００７２】
図１４の運転停止制御によれば、ある区域の空調機が停止されないままその区域が無人になった場合でも、空調機を基準時間内に停止させることができるので、無駄に電力が消費されるのを防止できる。
【００７３】
実施の形態３の空調制御装置によれば、人体検出結果を用いて判定を行うことで、対象の区域に人がいない時には空調を実施しないという制御を自動で行うことができ、電力消費のさらなる削減が可能になる。
【００７４】
実施の形態４．
実施の形態４の空調制御装置は、区域の空調の設定温度を用いてその区域の空調機の運転を制御する。例えば、区域の設定温度を、その区域の使用時間帯が重複する作業者の人数に応じて変化させて、その区域の空調機に設定温度を指令する。区域の設定温度は、空調制御装置１０の記憶部１６に、設定情報１９の一部として記憶される。
【００７５】
図１５は、本発明の実施の形態４に係る設定情報の例を示す図である。図１５の例では、少なくとも予定情報で作業者が開始予定時刻と終了予定時刻を設定する区域ごとに、その区域の設定温度と基準人数が決められている。設定温度は、全ての区域で同じであってもよいし区域ごとに異なっていてもよい。設定温度は、季節ごとに定められてもよい。または、外気温に応じて定められてもよい。
【００７６】
空調制御装置１０の制御部１１は、予定情報１７を参照して、１つの区域についてある使用時間帯において、そのときの同時使用人数を集計し、同時使用人数が図１５の基準人数を超えている場合に、その区域の設定温度を定められた値だけ下げて、その区域の空調機に指令する。
【００７７】
図１６は、実施の形態４に係る運転制御の動作の一例を示すフローチャートである。制御部１１は、ある区域について、その区域の使用時間帯になるまで待機する（ステップＳ７０；Ｎ）。その区域の使用時間帯になったら（ステップＳ７０；Ｙ）、その区域の使用時間帯が重複する作業者の人数を集計する（ステップＳ７１）。そして、その区域の設定温度と基準人数を参照し、その区域の同時使用人数が基準人数を超えている場合に（ステップＳ７２；Ｙ）、設定温度を定められた値だけ下げて、その区域の空調機に変更した設定温度を指令する（ステップＳ７３）。同時使用人数が基準人数を超えていなければ（ステップＳ７２；Ｎ）、空調機の設定温度を変更しない。
【００７８】
終了予定時刻まで、予定情報１７で作業者予定数に変化があるかどうか調べ（ステップＳ７４；Ｎ，ステップＳ７５；Ｎ）、作業者予定数に変化があれば（ステップＳ７４；Ｙ）、ステップＳ７１に戻って、同時使用人数集計から繰り返す。作業者予定数が変化するのは、使用時間帯において最後の終了予定時刻までに開始予定時刻または終了予定時刻が設定されている場合である。
【００７９】
制御部１１は、終了予定時刻になったら（ステップＳ７５；Ｙ）、ステップＳ７０に戻って、次の使用時間帯になるまで待機する。運転開始は、例えば図５、図７、図８または図１１〜図１３の運転開始制御で行われる。そして、運転停止は、例えば図６または図１４の運転停止制御で行われる。
【００８０】
なお、図１６のステップＳ７２で同時使用人数が基準人数を超えていない場合に、参照した設定温度をそのまま空調機に指令してもよい。同時使用人数が基準人数を超えて設定温度を下げた後に、同時使用人数が基準人数以下になった場合でも、適切に設定温度を元にもどし、消費電力を削減できる。
【００８１】
図１７は、基準人口密度を含む場合の設定情報の例を示す図である。ある区域の温度を制御するのに、その区域の人口密度で設定温度を変えてもよい。図１７の例では、区域ごとに設定温度、広さおよび基準人口密度が定められている。これらのデータは、図１５と同じく、空調制御装置１０の記憶部１６に、設定情報１９の一部として記憶される。基準人口密度は区域、例えば部屋、の容積に応じて定められてもよい。
【００８２】
空調制御装置１０の制御部１１は、予定情報１７を参照して、１つの区域についてある使用時間帯において、そのときの同時使用人数を集計し、図１７の「広さ」を参照して人口密度を計算する。その区域の人口密度が図１７の基準人口密度を超えている場合に、その区域の設定温度を定められた値だけ下げて、その区域の空調機に指令する。
【００８３】
図１８は、区域の人口密度で温度を設定する場合の運転制御の動作の一例を示すフローチャートである。制御部１１は、ある区域について、その区域の使用時間帯になるまで待機する（ステップＳ８０；Ｎ）。その区域の使用時間帯になったら（ステップＳ８０；Ｙ）、その区域の使用時間帯が重複する作業者の人数を集計し、その区域の広さを参照して人口密度を計算する（ステップＳ８１）。そして、その区域の設定温度と基準人口密度を参照し、その区域の人口密度が基準人口密度を超えている場合に（ステップＳ８２；Ｙ）、設定温度を定められた値だけ下げて、その区域の空調機に変更した設定温度を指令する（ステップＳ８３）。その区域の人口密度が基準人口密度を超えていなければ（ステップＳ８２；Ｎ）、空調機の設定温度を変更しない。
【００８４】
終了予定時刻まで、予定情報１７で作業者予定数に変化があるかどうか調べ（ステップＳ８４；Ｎ，ステップＳ８５；Ｎ）、作業者予定数に変化があれば（ステップＳ８４；Ｙ）、ステップＳ８１に戻って、人口密度の計算から繰り返す。終了予定時刻になったら（ステップＳ８５；Ｙ）、ステップＳ８０に戻って、次の使用時間帯になるまで待機する。この場合にも、運転開始は、例えば図５、図７、図８または図１１〜図１３の運転開始制御で行われ、運転停止は、例えば図６または図１４の運転停止制御で行われる。
【００８５】
なお、図１８のステップＳ８２で人口密度が基準人口密度を超えていない場合に、参照した設定温度をそのまま空調機に指令してもよい。人口密度が基準人口密度を超えて設定温度を下げた後に、人口密度が基準人口密度以下になった場合でも、適切に設定温度を元にもどし、消費電力を削減できる。
【００８６】
区域内にいる人数が多ければ室温が上昇しやすい。実施の形態４の空調制御装置によれば、同時使用人数が基準人数を超える場合、または、人口密度が基準人口密度を超える場合に、設定温度を下方修正して空調を行うことで、冷房であればより快適な温度での運転が可能であり、暖房であれば電力消費を削減しての運転が可能である。
【００８７】
図３に示される予定情報の例では、作業者、使用する区域、開始予定時刻および終了予定時刻が設定されている。予定情報に使用する区域の設定温度を追加してもよい。その場合、その使用時間帯は指定された設定温度で空調機の運転を行う。
【００８８】
図１９は、運転開始時に温度を指令する運転開始制御の動作の一例を示すフローチャートである。図１９は、図５の運転開始制御に温度指令を追加した動作である。ステップＳ９０からステップＳ９２までは、図５のステップＳ１０〜ステップＳ１２と同じである。
【００８９】
制御部１１は、その区域の開始予定時刻に（ステップＳ９０；Ｙ）、使用時間帯が重複する作業者のいずれかが建屋１に在場であれば（ステップＳ９１；Ｎ）、その区域の空調機に運転開始指令を送信して運転を開始し（ステップＳ９２）、予定情報１７の設定温度を参照してその設定温度で空調機に温度指令する（ステップＳ９３）。使用時間帯が重複する作業者全員が建屋１に不在の場合は（ステップＳ９１；Ｙ）、その区域の空調機に何も送信せず状態を維持する。
【００９０】
図１９の運転開始制御によれば、空調機の運転を開始するときに、予定情報１７に設定された設定温度で運転することが可能となる。予定情報１７に、温度だけではなく、湿度や風速等のその他の設定パラメータを追加することも可能である。これにより、スケジュールを登録する際に空調の設定を同時に行うことが可能になる。
【符号の説明】
【００９１】
１  建屋、５  室外機、６  スイッチングハブ、７  端末、８  カードリーダ、１０  空調制御装置、１１  制御部、１２  入出力制御部、１３  入出力Ｉ／Ｆ、１４  ＬＡＮ通信部、１５  制御信号通信部、１６  記憶部、１７，１７ｂ  予定情報、１８，１８ｂ  在場情報、１９  設定情報、２１，２２  区域、３１，３２  室内機、４１，４２  リモコン、９１，９２  人体検知部、１７０  スケジュール管理装置、１８０  入退場管理装置。
【図１】
0006558921.tif 000002
【図２】
0006558921.tif 000003
【図３】
0006558921.tif 000004
【図４】
0006558921.tif 000005
【図５】
0006558921.tif 000006
【図６】
0006558921.tif 000007
【図７】
0006558921.tif 000008
【図８】
0006558921.tif 000009
【図９】
0006558921.tif 000010
【図１０】
0006558921.tif 000011
【図１１】
0006558921.tif 000012
【図１２】
0006558921.tif 000013
【図１３】
0006558921.tif 000014
【図１４】
0006558921.tif 000015
【図１５】
0006558921.tif 000016
【図１６】
0006558921.tif 000017
【図１７】
0006558921.tif 000018
【図１８】
0006558921.tif 000019
【図１９】
0006558921.tif 000020